(57)【要約】【課題】光源ランプ交換を安全に行うことができる映像投写装置を提供することを目的とする。【解決手段】映像投写装置１は、映像をスクリーン上に表示するための光を放射する光源ランプ８を着脱するためのランプ交換口２ａが設けられた筐体２と、ランプ交換口２ａを覆い、開閉可能に設けられた蓋体４と、供給される電力に基づいて蓋体４の開閉状態を保持するロック機構１５と、外部電源と接続される電源コネクタ６が接続可能に構成され、外部電源から電源コネクタ６を介して供給される電力をロック機構１５に供給する電源部１３とを備え、ロック機構１５は、電源部１３から電力が供給された状態で蓋体４の閉状態を保持し、電源部１３からの電力供給が停止した状態で蓋体４の開閉を許容する。【選択図】図４
2013235221.tif 000002
【特許請求の範囲】
【請求項１】
映像をスクリーン上に表示するための光を放射する光源ランプを着脱するためのランプ交換口が設けられた筐体と、
前記ランプ交換口を覆い、開閉可能に設けられた蓋体と、
供給される電力に基づいて前記蓋体の開閉状態を保持するロック機構と、
外部電源と接続される電源コネクタが接続可能に構成され、前記外部電源から前記電源コネクタを介して供給される電力を前記ロック機構に供給する電源部とを備え、
前記ロック機構は、前記電源部から電力が供給された状態で前記蓋体の閉状態を保持し、前記電源部からの電力供給が停止した状態で前記蓋体の開閉を許容する、映像投写装置。
【請求項２】
前記ロック機構は、前記筐体に形成された第１係合穴と、前記蓋体に形成された第２係合穴と、前記第１，第２係合穴と係合可能な可動軸を有するソレノイドとを備え、
前記電源部から電力が供給された状態で前記可動軸は前記第１，第２係合穴と係合し、前記電源部からの電力供給が停止した状態で前記可動軸は前記第２係合穴と係合しない、請求項１記載の映像投写装置。
【請求項３】
前記第２係合穴は、前記蓋体に設けられた係合用突起部に形成され、
前記蓋体において前記係合用突起部の周辺領域に窓部が設けられた、請求項２記載の映像投写装置。
【発明の詳細な説明】
【技術分野】
【０００１】
本発明は、光源ランプを備える映像投写装置に関するものである。
【背景技術】
【０００２】
従来、映像表示装置の一つとしてＤＭＤ（Ｄｉｇｉｔａｌ  Ｍｉｃｒｏｍｉｒｒｏｒ  Ｄｅｖｉｃｅ）プロジェクタ等の映像投写装置が幅広く普及している。映像投写装置は、周知のように光源ランプをセット本体（筐体）内に搭載して構成されており、光源ランプからの光束をＤＭＤ素子に照射し、ＤＭＤ素子により映像信号を変調することで映像光を出射し、レンズを介して出射光を拡大照射する。
【０００３】
このような映像投写装置では、明るい拡大投写映像を得るために、光源ランプは高輝度の光束を照射する必要があるが、光源ランプは経時変化により輝度が低下する。このため、作業者は所定時間毎に光源ランプを交換する必要がある。
【０００４】
光源ランプ交換を安全に行うために、光源ランプ交換の作業時は光源ランプへの電力供給を停止させる必要がある。そこで、筐体に設けたランプ交換用の蓋体の開閉を検出する検出部を設け、検出部により蓋体が開けられたことを検出した場合に、光源ランプへの電力供給を停止させる構造が採用されている（例えば特許文献１，２参照）。
【先行技術文献】
【特許文献】
【０００５】
【特許文献１】特開２００１−５７２９５号公報
【特許文献２】特開２００９−２１０８６０号公報
【発明の概要】
【発明が解決しようとする課題】
【０００６】
しかしながら、検出部の誤動作または故障が発生した場合にランプ光源への電力供給が停止されない可能性があり、ひいては作業者が光源ランプ交換を安全に行えない恐れがある。このため、作業者が蓋体を開ける前に電源コネクタをインレットから取り外す作業を実施することで、映像投写装置への電力供給を完全に停止させる必要がある。
【０００７】
特許文献１，２に記載の映像投写装置では、電源コネクタをインレットから取り外して映像投写装置への電力供給を完全に停止させない場合でもランプ交換用の蓋体を開くことができる。このため、検出部の誤動作または故障が発生した場合にランプ光源への電力供給が停止されない可能性がある。
【０００８】
そこで、本発明は、光源ランプ交換を安全に行うことができる映像投写装置を提供することを目的とする。
【課題を解決するための手段】
【０００９】
本発明に係る映像投写装置は、映像をスクリーン上に表示するための光を放射する光源ランプを着脱するためのランプ交換口が設けられた筐体と、前記ランプ交換口を覆い、開閉可能に設けられた蓋体と、供給される電力に基づいて前記蓋体の開閉状態を保持するロック機構と、外部電源と接続される電源コネクタが接続可能に構成され、前記外部電源から前記電源コネクタを介して供給される電力を前記ロック機構に供給する電源部とを備え、前記ロック機構は、前記電源部から電力が供給された状態で前記蓋体の閉状態を保持し、前記電源部からの電力供給が停止した状態で前記蓋体の開閉を許容するものである。
【発明の効果】
【００１０】
本発明によれば、ロック機構は電源部から電力が供給された状態で蓋体の閉状態を保持するため、電源コネクタを介して電源部に電力が供給されている状態では蓋体を開けることができない。一方、ロック機構は電源部からの電力供給が停止した状態で蓋体の開閉を許容するため、電源部から電源コネクタを取り外して電源部への電力供給を停止した状態では蓋体を開けて光源ランプ交換を行うことができる。これにより、作業者は光源ランプ交換を安全に行うことができる。
【図面の簡単な説明】
【００１１】
【図１】実施の形態１に係る映像投写装置の斜視図である。
【図２】筐体の側面と蓋体の構造を示す拡大斜視図である。
【図３】映像投写装置のブロック図である。
【図４】ロック機構の断面図である。
【図５】実施の形態２に係る映像投写装置のロック機構の断面図である。
【発明を実施するための形態】
【００１２】
＜実施の形態１＞
本発明の実施の形態１について、図面を用いて以下に説明する。図１（ａ）は、本発明の実施の形態１に係る映像投写装置１の斜視図であり、図１（ｂ）は、映像投写装置１の背面斜視図である。プロジェクタ等の映像投写装置１は、映像をスクリーン（図示省略）上に表示するための光束を放射する光源ランプ８（図２参照）を筐体２内に搭載して構成されており、光源ランプ８からの光束をＤＭＤ素子（図示省略）に照射し、ＤＭＤ素子により映像信号を変調することで映像光を出射し、投写レンズ３を介して出射光を拡大照射する。
【００１３】
ボックス状の筐体２の前面には、スクリーン上に出射光を拡大照射する投写レンズ３が取り付けられている。筐体２の後面には、外部機器と接続される複数の端子７と、外部電源と接続される電源コネクタ６と接続可能なインレット５が設けられている。筐体２の側面には蓋体４が取り付けられている。
【００１４】
次に、筐体２の側面と蓋体４の構造について説明する。図２は、筐体２の側面と蓋体４の構造を示す拡大斜視図である。筐体２の側面には、光源ランプ８を着脱するためのランプ交換口２ａが設けられ、ランプ交換口２ａを覆う蓋体４がランプ交換口２ａに対して開閉（着脱）可能に取り付けられている。
【００１５】
蓋体４は、ランプ交換口２ａに対応する形状を有し、例えば２つの係止用突起部４ａと、螺子２０が挿通される固定用穴４ｃと、蓋体４を閉じた状態でランプ交換口２ａの奥側に延びる押圧作用突起部４ｂおよび係合用突起部４ｄとを有し、係合用突起部４ｄには穴４ｅ（第２係合穴）が形成されている。
【００１６】
筐体２においてランプ交換口２ａの周辺領域には、蓋体４を閉じた状態で２つの係止用突起部４ａと係止する２つの係止用穴２ｂと、蓋体４を閉じた状態で固定用穴４ｃと同軸上となる位置に形成された螺子穴２ｃと、蓋体４を閉じた状態で押圧作用突起部４ｂと嵌合する穴２ｄと、蓋体４を閉じた状態で穴４ｅと同軸上になる位置に形成された穴２ｅ（第１係合穴）とを有する。また、映像投写装置１には、蓋体４の開閉状態を保持するためのロック機構１５が設けられているが、その詳細については後述することとする。
【００１７】
筐体２において穴２ｄの奥側に開閉検出部９が取り付けられている。また、筐体２において穴２ｅの奥側には、可動軸１０ａを有するプッシュプルソレノイド（以下「ソレノイド」と称す）１０が、可動軸１０ａと穴２ｅが同軸上になる位置に取り付けられている。
【００１８】
次に、映像投写装置１の電気的構成について説明する。図３は、映像投写装置１のブロック図である。映像投写装置１は、制御手段１１と、開閉検出部９と、ランプ駆動電源１２と、光源ランプ８と、電源部１３と、ソレノイド１０と、インレット５と、電源コネクタ６とを備えている。
【００１９】
開閉検出部９はスイッチ等で構成され、蓋体４を閉じた状態で蓋体４の押圧作用突起部４ｂが開閉検出部９を押圧することで動作させる。制御手段１１は、マイクロコンピュータ等で構成され、開閉検出部９のオン・オフを検出し、検出結果に基づいてランプ駆動電源１２のオン・オフを制御することで、光源ランプ８の発光を制御する。
【００２０】
電源コネクタ６の一端は外部電源と接続され、他端はインレット５を介して電源部１３と接続される。電源コネクタ６がインレット５に接続された状態では、外部電源から電源コネクタ６とインレット５を介して電源部１３に電力が供給される。一方、電源コネクタ６がインレット５から取り外された状態では、外部電源から電源部１３に電力が供給されない。電源部１３は、外部電源から電源コネクタ６とインレット５を介して供給される電力をソレノイド１０とランプ駆動電源１２に供給する。
【００２１】
ソレノイド１０は電源部１３に接続されており、電源コネクタ６がインレット５に接続されて電源部１３から電力が供給された状態では、ソレノイド１０はオンとなり、可動軸１０ａは突出した状態を保持するように設定されている。この場合、電源部１３はランプ駆動電源１２にも電力を供給している。
【００２２】
一方、電源コネクタ６がインレット５から取り外されて電源部１３から電力供給が停止した状態では、ソレノイド１０はオフとなり、可動軸１０ａは退入した状態を保持するように設定されている。この場合、電源部１３はランプ駆動電源１３への電力供給を停止している。
【００２３】
次に、ロック機構１５について説明する。図４（ａ）は、ソレノイド１０の可動軸１０ａが突出した状態を示す断面図であり、図４（ｂ）は、ソレノイド１０の可動軸１０ａが退入した状態を示す断面図である。ロック機構１５は、供給される電力に基づいて蓋体４の開閉状態を保持する。また、ロック機構１５は、筐体２に形成された穴２ｅと、蓋体４に形成された穴４ｅと、穴２ｅ，４ｅと係合可能な可動軸１０ａを有するソレノイド１０とを備えている。
【００２４】
光源ランプ８を交換する際、映像投写装置１の電源スイッチをオフにしただけでは、電源コネクタ６とインレット５を介して、電源部１３には電力が供給されている。このため、図４（ａ）に示すように、ソレノイド１０の可動軸１０ａは突出した状態を保持する。可動軸１０ａはランプ交換口２ａに設けられた穴２ｅと、蓋体４の係合用突起部４ｄに設けられた穴４ｅの両方に挿通されて係合することで、蓋体４の閉状態が保持され蓋体４を開くことができない。
【００２５】
次にインレット５から電源コネクタ６が取り外されると、電源部１３は電力供給が停止されるため、ソレノイド１０への電力供給も停止される。このため、図４（ｂ）に示すように、ソレノイド１０の可動軸１０ａは退入した状態を保持する。可動軸１０ａは蓋体４の係合用突起部４ｄに設けられた穴４ｅに係合しないため、蓋体４における閉状態の保持が解除され蓋体４を開くことができる。
【００２６】
以上のように、実施の形態１に係る映像投写装置１では、ロック機構１５は電源部１３から電力が供給された状態で蓋体４の閉状態を保持するため、電源コネクタ６を介して電源部１３に電力が供給されている状態では蓋体４を開けることができない。一方、ロック機構１５は電源部１３からの電力供給が停止した状態で蓋体４の開閉を許容するため、インレット５から電源コネクタ６を取り外して電源部１３への電力供給を停止した状態では蓋体４を開けて光源ランプ交換を行うことができる。これにより、作業者は光源ランプ交換を安全に行うことができる。
【００２７】
また、ロック機構１５は、筐体２に形成された穴２ｅと、蓋体４に形成された穴４ｅと、穴２ｅ，４ｅと係合可能な可動軸１０ａを有するソレノイド１０とを備え、電源部１３から電力が供給された状態で可動軸１０ａは穴２ｅ，４ｅと係合し、電源部１３からの電力供給が停止した状態で可動軸１０ａは穴４ｅと係合しない。これにより、簡単な構成でロック機構１５を実現することができるため、映像投写装置１の製造コストが増加することを抑制できる。
【００２８】
＜実施の形態２＞
次に、実施の形態２に係る映像投写装置１について説明する。図５は、実施の形態２に係る映像投写装置１におけるソレノイド１０の可動軸１０ａが突出した状態を示す断面図である。なお、実施の形態２において、実施の形態１で説明したものと同様構成要素については同一符号を付して説明は省略する。
【００２９】
蓋体４において係合用突起部４ｄの周辺領域に窓部４ｆが設けられている。即ち、窓部４ｆは、ソレノイド１０の可動軸１０ａが突出した状態であるか、退入した状態であるかを目視確認できる位置に設けられている。窓部４ｆは、例えば透明性を有するガラスまたはアクリル樹脂等で形成され、蓋体４に嵌め込まれている。
【００３０】
以上のように、実施の形態２に係る映像投写装置１では、光源ランプ８を交換しようとする際に、窓部４ｆを見ることで、インレット５から電源コネクタ６を取り外した状態かどうかを容易に確認することができ、光源ランプ交換を安全に行うことができる。
【００３１】
なお、本発明は、その発明の範囲内において、各実施の形態を自由に組み合わせたり、各実施の形態を適宜、変形、省略することが可能である。
【符号の説明】
【００３２】
１  映像投写装置、２  筐体、２ａ  ランプ交換口、２ｅ  穴、４  蓋体、４ｄ  係合用突起部、４ｅ  穴、４ｆ  窓部、６  電源コネクタ、８  光源ランプ、１０  プッシュプルソレノイド、１０ａ  可動軸、１３  電源部、１５  ロック機構。
【図１】
2013235221.tif 000003
【図２】
2013235221.tif 000004
【図３】
2013235221.tif 000005
【図４】
2013235221.tif 000006
【図５】
2013235221.tif 000007